(57)【要約】【課題】用便に手間がかからず、立った姿勢での着用が簡単で、尿とりパッド等と併用する場合にも尿とりパッド等の交換が容易で、手間がかからない紙おむつを提供する。【解決手段】後見頃２と、この後見頃２に連結される前見頃３とを備えたおしめ型の紙おむつであり、上記後見頃２の左右両側部の双方から延設され紙おむつ着用時に着用者の前部に位置決めされる左右一対のサイドフラップ１９と、これら両サイドフラップ１９を着脱自在に固定しうる第１止着テープ４と、上記前見頃３を両サイドフラップ１９もしくは後見頃２に着脱自在に固定しうる第２止着テープ５とを有し、上記第１止着テープ４で両サイドフラップ１９を固定した状態では、上記後見頃２が着用者の腹部もしくは腰部に保持可能に構成されている。【選択図】図２
0003122881.tif 000002
【実用新案登録請求の範囲】
【請求項１】
後見頃と、この後見頃に連結される前見頃とを備えたおしめ型の紙おむつであって、上記後見頃の左右両側部の双方から延設され着用者の胴部の前側に位置決めされる左右一対の連結部と、これら両連結部を着脱自在に固定しうる第１の固定手段と、上記前見頃を両連結部もしくは後見頃に着脱自在に固定しうる第２の固定手段とを有し、上記第１の固定手段で両連結部を固定した状態では、上記後見頃が着用者の胴部に保持可能に構成されていることを特徴とする紙おむつ。
【請求項２】
上記両連結部が、上記後見頃の左右両側縁の双方から一体的に突設された左右一対のサイドフラップである請求項１記載の紙おむつ。
【請求項３】
上記第１の固定手段が、上記両連結部の一方に接着，固定された止着テープであり、この止着テープに設けた面ファスナーが上記両連結部の他方に着脱自在に固定され、上記第２の固定手段が、上記前見頃に接着，固定された止着テープであり、この止着テープに設けた面ファスナーが上記両連結部もしくは後見頃に着脱自在に固定される請求項１または２記載の紙おむつ。
【請求項４】
後見頃と、この後見頃に連結される前見頃とを備えたおしめ型の紙おむつであって、上記後見頃の左右両側部の一方から延設され着用者の胴部の前側に位置決めされる連結部と、この連結部を後見頃の左右両側部の他方に着脱自在に固定しうる第１の固定手段と、上記前見頃を連結部もしくは後見頃に着脱自在に固定しうる第２の固定手段とを有し、上記第１の固定手段で連結部と後見頃の左右両側部の他方とを固定した状態では、上記後見頃が着用者の胴部に保持可能に構成されていることを特徴とする紙おむつ。
【請求項５】
上記連結部が、上記後見頃の左右両側縁の一方から一体的に突設されたサイドフラップである請求項４記載の紙おむつ。
【請求項６】
上記第１の固定手段が、上記連結部に接着，固定された止着テープであり、この止着テープに設けた面ファスナーが上記後見頃の左右両側部の他方に着脱自在に固定され、上記第２の固定手段が、上記前見頃に接着，固定された止着テープであり、この止着テープに設けた面ファスナーが上記連結部もしくは後見頃に着脱自在に固定される請求項４または５記載の紙おむつ。
【請求項７】
上記連結部が左右方向に伸縮自在である請求項１〜６のいずれか一項に記載の紙おむつ。
【請求項８】
後見頃と、この後見頃に連結される前見頃とを備えたおしめ型の紙おむつであって、着用者の胴部に巻回される紙製の帯状シートと、着用者の後側に位置決めされる帯状シートの長手方向の中央部に後見頃を着脱自在に固定する第１の固定手段と、着用者の前側に位置決めされる帯状シートの長手方向の両側部同士を着脱自在に固定しうる第２の固定手段と、上記前見頃を帯状シートに着脱自在に固定しうる第３の固定手段とを有し、上記第２の固定手段で帯状シートの長手方向の両側部同士を固定した状態では、上記帯状シートが着用者の胴部に保持可能に構成されていることを特徴とする紙おむつ。
【請求項９】
後見頃と、この後見頃に連結される前見頃とを備えたおしめ型の紙おむつであって、着用者の胴部に巻回される紙製の帯状シートと、着用者の後側に位置決めされる帯状シートの長手方向の一側部に後見頃を着脱自在に固定する第１の固定手段と、着用者の前側に位置決めされる帯状シートの長手方向の他側部を上記一側部に着脱自在に固定しうる第２の固定手段と、上記前見頃を帯状シートに着脱自在に固定しうる第３の固定手段とを有し、上記第２の固定手段で帯状シートの長手方向の両側部同士を固定した状態では、上記帯状シートが着用者の胴部に保持可能に構成されていることを特徴とする紙おむつ。
【請求項１０】
上記第１の固定手段が、上記帯状シートおよび後見頃の一方に接着，固定された止着テープであり、この止着テープに設けた面ファスナーが上記帯状シートおよび後見頃の他方に着脱自在に固定され、上記第２の固定手段が、上記帯状シートの長手方向の両側部の一方に接着，固定された止着テープであり、この止着テープに設けた面ファスナーが上記両側部の他方に着脱自在に固定され、上記第３の固定手段が、上記前見頃に接着，固定された止着テープであり、この止着テープに設けた面ファスナーが上記帯状シートもしくは後見頃に着脱自在に固定される請求項８または９記載の紙おむつ。
【請求項１１】
上記帯状シートがその長手方向に伸縮自在である請求項８〜１０のいずれか一項に記載の紙おむつ。
【請求項１２】
上記前見頃の左右方向中央部に、その前端から後見頃に向かって延びる切り目が形成されている請求項１〜１１のいずれか一項に記載の紙おむつ。
【請求項１３】
人の胴部に保持される筒状保持部と、上記筒状保持部の後半部分から下方に延びる後見頃と、上記筒状保持部の前半部分から下方に延びる前見頃と、左右一対の脚用開口部とを備えたパンツ型の紙おむつであって、上記前見頃の少なくとも下部が上記前見頃および両脚用開口部から切り離されているとともに後見頃に連結され、かつ、上記前見頃の、上記切り離された部分が、上記前見頃の、切り離されないで残った部分に固定手段で着脱自在に固定されていることを特徴とする紙おむつ。
【請求項１４】
上記固定手段が、上記前見頃の、上記切り離された部分および上記切り離されないで残った部分のいずれか一方に接着，固定された止着テープであり、この止着テープに設けた面ファスナーが上記切り離された部分および上記切り離されないで残った部分のいずれか他方に着脱自在に固定される請求項１３記載の紙おむつ。
【請求項１５】
上記前見頃の、上記切り離された部分の左右方向中央部に、上記切り離された部分の上端から後見頃に向かって延びる切り目が形成されている請求項１３または１４記載の紙おむつ。
【請求項１６】
上記前見頃の、上記切り離された部分の左右方向中央部に、上下方向に延びる切り目が形成され、この切り目の上端が上記切り離された部分の上端から離間した位置に位置決めされている請求項１３または１４記載の紙おむつ。
【請求項１７】
人の胴部に保持される筒状保持部と、上記筒状保持部の後半部分から下方に延びる後見頃と、上記筒状保持部の前半部分から下方に延びる前見頃と、左右一対の脚用開口部とを備えたパンツ型の紙おむつであって、上記前見頃の少なくとも下部が上記前見頃および両脚用開口部から切り離されているとともに、上記前見頃の、切り離された部分が、上記前見頃の、切り離されないで残った部分に第１の固定手段で着脱自在に固定され、上記後見頃の少なくとも下部が上記後見頃および両脚用開口部から切り離されているとともに、上記後見頃の、切り離された部分が、上記後見頃の、切り離されないで残った部分に第２の固定手段で着脱自在に固定され、かつ、上記前見頃の、上記切り離された部分と、上記後見頃の、上記切り離された部分とが連結されていることを特徴とする紙おむつ。
【請求項１８】
上記第１の固定手段が、上記前見頃の、上記切り離された部分および上記切り離されないで残った部分のいずれか一方に接着，固定された止着テープであり、この止着テープに設けた面ファスナーが上記前見頃の、上記切り離された部分および上記切り離されないで残った部分のいずれか他方に着脱自在に固定され、上記第２の固定手段が、上記後見頃の、上記切り離された部分および上記切り離されないで残った部分のいずれか一方に接着，固定された止着テープであり、この止着テープに設けた面ファスナーが上記後見頃の、上記切り離された部分および上記切り離されないで残った部分のいずれか他方に着脱自在に固定される請求項１７記載の紙おむつ。
【請求項１９】
上記前見頃の、上記切り離された部分の左右方向中央部に、この切り離された部分の上端から後見頃に向かって延びる第１の切り目が形成され、上記後見頃の、上記切り離された部分の左右方向中央部に、この切り離された部分の上端から前見頃に向かって延びる第２の切り目が形成され、上記両切り目が非連続に形成されている請求項１７または１８記載の紙おむつ。
【請求項２０】
上記前見頃の、上記切り離された部分の左右方向中央部に、上下方向に延びる切り目が形成され、この切り目の上端が上記切り離された部分の上端から離間した位置に位置決めされている請求項１７または１８記載の紙おむつ。
【請求項２１】
上記前見頃の右側縁部と後見頃の右側縁部とが着脱自在に固定され、上記前見頃の左側縁部と後見頃の左側縁部とが着脱自在に固定されている請求項１３〜２０のいずれか一項に記載の紙おむつ。
【考案の詳細な説明】
【技術分野】
【０００１】
本考案は、寝たきり老人等の大人用として、またリハビリ用等として用いられる使い捨てタイプの紙おむつに関するものである。
【背景技術】
【０００２】
従来から、使い捨てタイプの紙おむつとして、各種のものが用いられており、図１８に示すようなおしめ型のものや、図１９に示すようなパンツ型のもの（紙パンツ）等、様々なものが出回っている。図１８に示すおしめ型のものでは、後見頃４１の左右両側縁から左右一対のサイドフラップ４２を突設し、着用時には、上記両サイドフラップ４２に設けた面ファスナー４３（図では、一方の面ファスナー４３しか図示せず）を前見頃４４の左右両側部に固定して着用者の腹部もしくは腰部に紙おむつを保持するようにしている。また、図１９に示す紙パンツでは、その上端部４６にゴム紐等の弾性部材（図示せず）を取り付け、この弾性部材の弾性により紙パンツの上端部４６を着用者の腹部もしくは腰部に締め付けて紙おむつを保持するようにしている。
【考案の開示】
【考案が解決しようとする課題】
【０００３】
しかしながら、図１８に示すおしめ型のものでは、用便時等に、紙おむつを腹や腰から取り外して他の場所に置き、用便後に腹や腰に着用し直さなければならず、用便に手間がかかる。しかも、立った姿勢で紙おむつを腹や腰に着用するのがむつかしい。また、図１９に示す紙パンツでは、これを尿とりパッド等と併用する場合に、この尿とりパッド等の交換を、着用者を寝かせた状態で行おうとすると、紙パンツを腹や腰からずり下げて尿とりパッド等を交換したのち、紙パンツを腹や腰までずり上げなければならず、この紙パンツの上げ下げが難しく、手間もかかる。特に夜間では、寝かせた姿勢での紙パンツの上げ下げがしずらいため、着用者を起こしてしまうことが多く、安眠をとるのが難しい。しかも、用便時等に、立った姿勢で尿とりパッド等を交換する場合には、紙パンツを腹や腰からずり下げて紙パンツ内を見やすい姿勢にしてから尿とりパッド等を取り出さなければならず、この作業がしずらい。また、上記したように、用便時等には、紙パンツをずり下げなければならず、用便に手間がかかる。
【０００４】
本考案は、このような事情に鑑みなされたもので、用便に手間がかからず、立った姿勢での着用が簡単で、尿とりパッド等と併用する場合にも尿とりパッド等の交換が容易で、手間がかからない紙おむつの提供をその目的とする。
【課題を解決するための手段】
【０００５】
上記の目的を達成するため、本考案は、後見頃と、この後見頃に連結される前見頃とを備えたおしめ型の紙おむつであって、上記後見頃の左右両側部の双方から延設され着用者の胴部の前側に位置決めされる左右一対の連結部と、これら両連結部を着脱自在に固定しうる第１の固定手段と、上記前見頃を両連結部もしくは後見頃に着脱自在に固定しうる第２の固定手段とを有し、上記第１の固定手段で両連結部を固定した状態では、上記後見頃が着用者の胴部に保持可能に構成されている紙おむつを第１の要旨とし、後見頃と、この後見頃に連結される前見頃とを備えたおしめ型の紙おむつであって、上記後見頃の左右両側部の一方から延設され着用者の胴部の前側に位置決めされる連結部と、この連結部を後見頃の左右両側部の他方に着脱自在に固定しうる第１の固定手段と、上記前見頃を連結部もしくは後見頃に着脱自在に固定しうる第２の固定手段とを有し、上記第１の固定手段で連結部と後見頃の左右両側部の他方とを固定した状態では、上記後見頃が着用者の胴部に保持可能に構成されている紙おむつを第２の要旨とし、後見頃と、この後見頃に連結される前見頃とを備えたおしめ型の紙おむつであって、着用者の胴部に巻回される紙製の帯状シートと、着用者の後側に位置決めされる帯状シートの長手方向の中央部に後見頃を着脱自在に固定する第１の固定手段と、着用者の前側に位置決めされる帯状シートの長手方向の両側部同士を着脱自在に固定しうる第２の固定手段と、上記前見頃を帯状シートに着脱自在に固定しうる第３の固定手段とを有し、上記第２の固定手段で帯状シートの長手方向の両側部同士を固定した状態では、上記帯状シートが着用者の胴部に保持可能に構成されている紙おむつを第３の要旨とし、後見頃と、この後見頃に連結される前見頃とを備えたおしめ型の紙おむつであって、着用者の胴部に巻回される紙製の帯状シートと、着用者の後側に位置決めされる帯状シートの長手方向の一側部に後見頃を着脱自在に固定する第１の固定手段と、着用者の前側に位置決めされる帯状シートの長手方向の他側部を上記一側部に着脱自在に固定しうる第２の固定手段と、上記前見頃を帯状シートに着脱自在に固定しうる第３の固定手段とを有し、上記第２の固定手段で帯状シートの長手方向の両側部同士を固定した状態では、上記帯状シートが着用者の胴部に保持可能に構成されている紙おむつを第４の要旨とし、人の胴部に保持される筒状保持部と、上記筒状保持部の後半部分から下方に延びる後見頃と、上記筒状保持部の前半部分から下方に延びる前見頃と、左右一対の脚用開口部とを備えたパンツ型の紙おむつであって、上記前見頃の少なくとも下部が上記前見頃および両脚用開口部から切り離されているとともに後見頃に連結され、かつ、上記前見頃の、上記切り離された部分が、上記前見頃の、切り離されないで残った部分に固定手段で着脱自在に固定されている紙おむつを第５の要旨とし、人の胴部に保持される筒状保持部と、上記筒状保持部の後半部分から下方に延びる後見頃と、上記筒状保持部の前半部分から下方に延びる前見頃と、左右一対の脚用開口部とを備えたパンツ型の紙おむつであって、上記前見頃の少なくとも下部が上記前見頃および両脚用開口部から切り離されているとともに、上記前見頃の、切り離された部分が、上記前見頃の、切り離されないで残った部分に第１の固定手段で着脱自在に固定され、上記後見頃の少なくとも下部が上記後見頃および両脚用開口部から切り離されているとともに、上記後見頃の、切り離された部分が、上記後見頃の、切り離されないで残った部分に第２の固定手段で着脱自在に固定され、かつ、上記前見頃の、上記切り離された部分と、上記後見頃の、上記切り離された部分とが連結されている紙おむつを第６の要旨とする。
【考案の効果】
【０００６】
すなわち、本考案の第１の紙おむつでは、用便時等に、後見頃を着用者の胴部に保持させた状態で、前見頃を両連結部もしくは後見頃から取り外し、後見頃とともに後側に大きく回動させることにより、着用者の前部および股間から前見頃および後見頃を取り除くことができ、簡単に用便することができ、手間がかからない。しかも、立った姿勢でも、後見頃を着用者の胴部に保持させた状態で、上記前見頃を前側に回して両連結部もしくは後見頃に固定するだけで、簡単に着用することができる。しかも、本考案の第１の紙おむつを尿とりパッド等と併用する場合に、この尿とりパッド等の交換を、着用者を寝かせた状態で行っても、前見頃を両連結部もしくは後見頃から取り外して着用者の脚先側に大きく回動させるだけで、紙おむつの前部から前見頃を取り除くことができるため、紙おむつの前部から尿とりパッド等を取り出して簡単に交換することができ、手間もかからない。しかも、このように尿とりパッド等を簡単に交換できるため、特に夜間において、着用者を起こすことなく尿とりパッド等の交換が行え、安眠をとりやすい。しかも、用便時等に、立った姿勢で尿とりパッド等を交換する場合にも、上記したように、簡単に尿とりパッド等を交換することができ、この作業がしやすい。なお、本発明において、「胴部」とは、腰部や腹部を含んでいる。
【０００７】
また、本考案の第２の紙おむつは、本考案の第１の紙おむつと同様の構造であり、本考案の第１の紙おむつと同様の作用・効果を奏する。
【０００８】
また、本考案の第３の紙おむつでは、用便時等に、着用者の胴部に巻回，保持させた帯状シートに後見頃を固定した状態で、前見頃を帯状シートから取り外し、後見頃とともに後側に大きく回動させることにより、着用者の前部および股間から前見頃および後見頃を取り除くことができ、簡単に用便することができ、手間がかからない。しかも、立った姿勢でも、後見頃を着用者の胴部に保持させた状態で、上記前見頃を前側に回して帯状シートに固定するだけで、簡単に着用することができる。しかも、本考案の第３の紙おむつを尿とりパッド等と併用する場合に、この尿とりパッド等の交換を、着用者を寝かせた状態で行っても、前見頃を帯状シートから取り外して着用者の脚先側に大きく回動させるだけで、紙おむつの前部から前見頃を取り除くことができるため、紙おむつの前部から尿とりパッド等を取り出して簡単に交換することができ、手間もかからない。しかも、このように尿とりパッド等を簡単に交換できるため、特に夜間において、着用者を起こすことなく尿とりパッド等の交換が行え、安眠をとりやすい。しかも、用便時等に、立った姿勢で尿とりパッド等を交換する場合にも、上記したように、簡単に尿とりパッド等を交換することができ、この作業がしやすい。しかも、帯状シートに後見頃を着脱自在に固定しているため、帯状シートに前見頃を固定した状態で、帯状シートから後見頃を取り外して着用者の脚先側に大きく回動させるだけで、紙おむつの後部から後見頃を取り除くことができ、これにより、紙おむつの後部から尿とりパッドや平おしめ等（本考案の第３の紙おむつを尿とりパッドや平おしめ等と併用する場合）を取り出して簡単に交換することができ、手間もかからない。また、上記帯状シートから前見頃および後見頃を取り外して、前見頃および後見頃の前後を変えて上記帯状シートに固定したり、前見頃および後見頃を新品と交換したりすることができる。
【０００９】
また、本考案の第４の紙おむつは、本考案の第３の紙おむつと同様の構造であり、本考案の第３の紙おむつと同様の作用・効果を奏する。
【００１０】
また、本考案の第５の紙おむつでは、これを尿とりパッド等と併用する場合に、この尿とりパッド等の交換を、着用者を寝かせた状態で行っても、上記切り離された部分を、上記切り離されないで残った部分から取り外して着用者の脚先側に大きく回動させることで、紙おむつの前部が大きく開口し、この開口部から尿とりパッド等を取り出して簡単に交換することができ、手間もかからない。しかも、このように尿とりパッド等を簡単に交換できるため、特に夜間において、着用者を起こすことなく尿とりパッド等の交換が行え、安眠をとりやすい。しかも、用便時等に、立った姿勢で尿とりパッド等を交換する場合にも、上記したように、簡単に尿とりパッド等を交換することができ、この作業がしやすい。しかも、用便時等にも、上記切り離された部分を、上記切り離されないで残った部分から取り外し、後見頃とともに後側に大きく回動させることで、着用者の前部および股間から前見頃および後見頃をなくすことができ、簡単に用便することができ、手間がかからない。
【００１１】
また、本考案の第６の紙おむつでは、これを尿とりパッド等と併用する場合に、この尿とりパッド等の交換を、着用者を寝かせた状態で行っても、上記前見頃の、上記切り離された部分を、上記切り離されないで残った部分から取り外して着用者の脚先側に大きく回動させることで、紙おむつの前部が大きく開口し、この開口部から尿とりパッド等を取り出して簡単に交換することができ、手間もかからない。しかも、このように尿とりパッド等を簡単に交換できるため、特に夜間において、着用者を起こすことなく尿とりパッド等の交換が行え、安眠をとりやすい。しかも、用便時等に、立った姿勢で尿とりパッド等を交換する場合にも、上記したように、簡単に尿とりパッド等を交換することができ、この作業がしやすい。しかも、用便時等にも、上記前見頃の、上記切り離された部分を、上記切り離されないで残った部分から取り外し、後見頃とともに後側に大きく回動させることで、着用者の前部および股間から前見頃および後見頃をなくすことができ、簡単に用便することができ、手間がかからない。しかも、上記後見頃の、上記切り離された部分を、上記切り離されないで残った部分から取り外して着用者の脚先側に大きく回動させることで、紙おむつの後部が大きく開口し、この開口部から尿とりパッドや平おしめ等（本考案の第６の紙おむつを尿とりパッドや平おしめ等と併用する場合）を取り出して簡単に交換することができる。しかも、上記前見頃の、上記切り離された部分と上記後見頃の、上記切り離された部分とを取り外して、これらの前後を変えて上記前見頃および上記後見頃に固定したり、新品と交換したりすることができる。
【００１２】
また、本考案の第１の紙おむつにおいて、上記両連結部が、上記後見頃の左右両側縁の双方から一体的に突設された左右一対のサイドフラップである場合、および本考案の第２の紙おむつにおいて、上記連結部が、上記後見頃の左右両側縁の一方から一体的に突設されたサイドフラップである場合には、上記後見頃の成形時に、上記両サイドフラップを一緒に成形することができ、作製工程が簡素化される。
【００１３】
また、本考案の第１〜第６の紙おむつにおいて、各固定手段として、面ファスナーを設けた止着テープを用いることができる。この止着テープは、簡単構造であり、入手がしやすく、安価でもある。また、各固定手段として、（両面に面ファスナーが形成された）両面テープを用いることもできる。
【００１４】
また、本考案の第１および第２の紙おむつにおいて、上記連結部が左右方向に伸縮自在である場合には、上記連結部の長さを左右方向（着用時には、着用者の腹周り方向もしくは腰周り方向）に調節することができる。また、本考案の第３および第４の紙おむつにおいて、上記帯状シートがその長手方向に伸縮自在である場合にも、上記帯状シートの長さを左右方向に調節することができる。
【００１５】
また、本考案の第１〜第４の紙おむつにおいて、上記前見頃の左右方向略中央部に、その上端から後見頃に向かって延びる切り目が形成されている場合には、上記前見頃の左右両側部を別々に移動させることができ、右側だけを移動させればよい場合や左側だけを移動させればよい場合に便利である。また、本考案の第５の紙おむつにおいて、上記前見頃の、上記切り離された部分の左右方向略中央部に、上記切り離された部分の上端から後見頃に向かって延びる切り目が形成されている場合にも、また、本考案の第６の紙おむつにおいて、上記前見頃の、上記切り離された部分の左右方向中央部に、この切り離された部分の上端から後見頃に向かって延びる第１の切り目が形成され、上記後見頃の、上記切り離された部分の左右方向中央部に、この切り離された部分の上端から前見頃に向かって延びる第２の切り目が形成され、上記両切り目が非連続に形成されている場合にも、同様の作用・効果を奏する。
【００１６】
また、本考案の第５および第６の紙おむつにおいて、上記前見頃の、上記切り離された部分の左右方向中央部に、上下方向に延びる切り目が形成され、この切り目の上端が上記切り離された部分の上端から離間した位置に位置決めされている場合には、上記切り目を利用して男性が小便をすることができる。
【００１７】
また、本考案の第５および第６の紙おむつにおいて、上記前見頃の右側縁部と後見頃の右側縁部とが着脱自在に固定され、上記前見頃の左側縁部と後見頃の左側縁部とが着脱自在に固定されている場合には、紙おむつの右側縁部および左側縁部（の前見頃と後見頃）を引き離すことができ、尿とりパッド等の交換時に便利である。
【考案を実施するための最良の形態】
【００１８】
つぎに、本考案の実施の形態を図面にもとづいて説明する。ただし、本考案は、この実施の形態に限定されるものではない。
【００１９】
図１は本考案の第１の紙おむつの一実施の形態を示している。この実施の形態では、紙おむつとして、おしめ型のものが用いられている。図において、１はおむつ本体であり、後見頃２と、この後見頃２に連結される前見頃３とを有している。４は上記おむつ本体１の一端部（上記後見頃２の一側部）に接着，固定された左右一対の第１止着テープ（第１の固定手段）で、５は上記おむつ本体１の他端部（上記前見頃３の一側部）に接着，固定された左右一対の第２止着テープ（第２の固定手段）である。
【００２０】
上記おむつ本体１は、吸収部１１と、この吸収部１１の外周部に形成される外装シート１２とを備えており、上記吸収部１１は、体液を透過する透液性トップシート１３と、体液を透過しない不透液性バックシート１４と、これら両シート１３，１４間に配設される吸収体１５とからなっている。そして、上記透液性トップシート１３は、例えばメッシュ状に形成された不織布で構成され、紙おむつを着用する着用者の側（紙おむつを着用した状態で、内側となる側）に設けられている。また、上記不透液性バックシート１４は、例えばポリエチレンで構成され、上記着用者の側とは反対側（紙おむつを着用した状態では、外側となる側）に設けられている。また、上記吸収体１５は、例えば綿状パルプで構成されている。
【００２１】
上記外装シート１２は、透液性トップシート１３と不透液性バックシート１４とからなる２層構造であり、これら両シート１３，１４同士がホットメルト接着剤等の接着剤で接着，固定されている。図１において、１６は左右一対の立体ギャザーで、１７は左右方向（紙おむつを着用した状態では、着用者の腹周りもしくは腰周り方向）に伸縮自在な第１伸縮部で、１８は前後方向（上記吸収部１１の長手方向）に伸縮自在な左右一対の第２伸縮部である。
【００２２】
つぎに、上記後見頃２には、その一側部（後部であり、紙おむつを着用した状態では、上部となる）の左右両側縁（上記外装シート１２で構成されている部分）から、左右方向に延びる左右一対のサイドフラップ（連結部）１９が突設されている。これら両サイドフラップも、外装シート１２で構成されており、その横幅は、上記後見頃２の横幅の略１／２の長さに設定されている。
【００２３】
また、上記両サイドフラップ１９の外側縁（すなわち、右サイドフラップ１９の右側縁および左サイドフラップ１９の左側縁）から上記左右一対の第１止着テープ４が延びている。これら両第１止着テープ４は、紙製帯状シート４ａの一側部にマジックテープ（登録商標）等の面ファスナー４ｂを接着，固定したもので構成されている。そして、上記両止着テープ４の他側部が、外装シート１２を構成する両シート１３，１４間に配設された状態で両シート１３，１４に接着，固定されており、一側部の一側面（着用者側の側面）に上記面ファスナー４ｂが接着，固定されている。これら両面ファスナー４ｂは上記両シート１３，１４が紙製であるため、上記両シート１３，１４およびこれらで構成される外装シート１２のどこにでも着脱自在に固定することができる。
【００２４】
また、上記前見頃３には、その一側部（前部であり、紙おむつを着用した状態では、上部となる）の左右両側縁（上記外装シート１２で構成されている部分）から上記左右一対の第２止着テープ５が延びている。これら両第２止着テープ５も、上記両第１止着テープ４と同様の構造であり、同様にして上記前見頃３に接着，固定されている。図において、５ａは上記両第２止着テープ５の紙製帯状シートで、５ｂは上記紙製帯状シート５ａに接着，固定された面ファスナーである。
【００２５】
上記の構成において、つぎのようにして紙おむつを着用することができる。すなわち、まず、後見頃２を着用者の胴部の背部に位置決めし、ついで、両サイドフラップ１９を胴部の前部に位置決めして胴部の中央部で近接させもしくは少し重なるようにし、その状態で、一方のサイドフラップ１９（この実施の形態では、右側のサイドフラップ１９）から延びる第１止着テープ４を他方のサイドフラップ１９（この実施の形態では、左側のサイドフラップ１９）に止着し（図２参照）、後見頃２を胴部に保持する。なお、他方のサイドフラップ１９から延びる第１止着テープ４を一方のサイドフラップ１９に止着してもよい。つぎに、前見頃３を胴部の前部に位置決めし、前見頃３の両第２止着テープ５を後見頃３の左右両側部に止着し、後見頃２に前見頃３を固定することを行う（図３参照。この図３では、両第２止着テープ５を図示せず）。また、このような紙おむつは、尿とりパッド等と併用して使用されることがよくある。図３において、２０は脚用開口部である。
【００２６】
一方、着用者を寝かせた状態で、紙おむつ内の尿とりパッド等を交換する場合には、まず、前見頃３を後見頃２から取り外して脚先側に大きく回動させ、胴部の前部から前見頃３を取り除き、つぎに、尿とりパッド等を交換したのち、前見頃３を胴部の前部側に大きく回動させ、前見頃３の両第２止着テープ５を後見頃２の左右両側部に止着することを行う。また、用便する場合には、まず、前見頃３を後見頃２から取り外して後見頃３とともに後方に大きく回動させ、胴部の前部および股間から前見頃３および後見頃２を取り除き、つぎに、用便したのち、前見頃３を後見頃２とともに前方に大きく回動させて胴部の前側に位置決めし、前見頃３の両第２止着テープ５を後見頃２の左右両側部に止着することを行う。
【００２７】
このように、上記実施の形態では、用便時等に、前見頃３を後見頃２から取り外し、後見頃２とともに後側に大きく回動させることで、着用者の前部および股間から前見頃３および後見頃２を取り除くとができ、簡単に用便することができ、手間がかからない。しかも、立った姿勢でも、上記前見頃３を前側に位置決めして後見頃２に固定するだけで、簡単に着用することができる。しかも、紙おむつを尿とりパッド等と併用する場合に、この尿とりパッド等の交換を、着用者を寝かせた状態で行っても、前見頃３を後見頃２から取り外して着用者の脚先側に大きく回動させることで、紙おむつの前部から前見頃３を取り除くことができ、ここから尿とりパッド等を取り出して簡単に交換することができ、手間もかからない。しかも、このように尿とりパッド等を簡単に交換できるため、特に夜間において、着用者を起こすことなく交換が行え、着用者は安眠をとることができる。しかも、用便時等に、立った姿勢で尿とりパッド等を交換する場合にも、上記したように、簡単に尿とりパッド等を交換することができ、この作業がしやすい。
【００２８】
図４は本考案の第１の紙おむつの他の実施の形態を示している。この実施の形態では、上記実施の形態において、第１および第２止着テープ４，５に代えて、両面に面ファスナーが形成された両面テープ２２を用いている。それ以外の部分は上記実施の形態と同様であり、同様の部分には同じ符号を付している。この実施の形態でも、上記実施の形態と同様の作用・効果を奏する。
【００２９】
図５は本考案の第１の紙おむつのさらに他の実施の形態を示している。この実施の形態では、図１〜図３に示す実施の形態において、前見頃３の略左右方向中央部に、前見頃３の上端から後見頃２に向かって（すなわち、下方に向かって）略一直線状に延びる切り目２３が形成されている。したがって、前見頃３の右半分もしくは左半分だけを後見頃２から取り外して脚先側等に大きく回動させることができ、紙おむつ内にある尿漏れ防止パットを交換する場合等に便利である。それ以外の部分は、図１〜図３に示す実施の形態と同様であり、同様の部分には同じ符号を付している。この実施の形態でも、図１〜図３に示す実施の形態と同様の作用・効果を奏する。
【００３０】
図６は本考案の第２の紙おむつの一実施の形態を示している。この実施の形態では、後見頃２の後部の左側縁から左サイドフラップ（連結部）１９が突設されており、その長さが後見頃２の横幅と略同じに形成されている。また、左サイドフラップ１９の左側縁から第１止着テープ（第１の固定手段）２４が延びている。一方、上記後見頃２の後部の右側縁から右サイドフラップ１９が突設されていないが、第１止着テープ２４が延びている。また、前見頃３の前部の左右両側縁から左右一対の第２止着テープ（第２の固定手段）２５が延びている。これら第１および第２止着テープ２４，２５は、図１〜図３に示す実施の形態における第１および第２止着テープ４，５と同様の構造であり、同様にして後見頃２，前見頃３に接着，固定されている。それ以外の部分は、図１〜図３に示す実施の形態と同様であり、同様の部分には同じ符号を付している。この実施の形態でも、図１〜図３に示す実施の形態と同様の作用・効果を奏する。
【００３１】
図７は本考案の第３の紙おむつの一実施の形態を示している。この実施の形態では、着用時に着用者の胴部に巻回される紙製の帯状シート２７に、後見頃２と前見頃３とを有するおむつ本体１が着脱自在に止着されている。より詳しく説明すると、上記帯状シート２７の左右方向（長手方向）の中央部（着用時に着用者の胴部の背部に位置決めされる部分）に後見頃２の後端部が左右一対の第１止着テープ（第１の固定手段）２８により着脱自在に止着されており、上記帯状シート２７の左右方向の両側部（上記中央部より右側の部分と左側の部分）は、着用時に着用者の胴部の前部に位置決めされるようにしている。
【００３２】
上記帯状シート２７は、外装シート１２と同様の構造であり、透液性トップシート１３と不透液性バックシート１４とを接着剤で接着，固定してなる２層構造に形成されている。なお、上記帯状シート２７は、例えば不透液性バックシート１４だけでなる１層構造に形成されていてもよい。図において、２９は上記帯状シート２７の左右両端部に接着，固定された左右一対の第２止着テープート（第２の固定手段）で、３０は上記おむつ本体１の他端部（上記前見頃３の前端部）に接着，固定された左右一対の第３止着テープ（第３の固定手段）である。上記第１〜第３止着テープート２８〜３０は、図１〜図３に示す実施の形態における第１止着テープ４と同様の構造であり、同様にして、第１止着テープート２８は後見頃２，帯状シート２７の左右方向の中央部に接着，固定され、第２止着テープート２９は帯状シート２７の左右両端部に接着，固定され、第３止着テープート３０は前見頃３，帯状シート２７の左右方向の両側部に接着，固定されている。そして、第２止着テープート２９で帯状シート２７の左右両側部同士を止着した状態で、帯状シート２７が着用者の胴部に保持されるようにしている。
【００３３】
それ以外の部分は、図１〜図３に示す実施の形態と同様であり、同様の部分には同じ符号を付している。この実施の形態でも、図１〜図３に示す実施の形態と同様の作用・効果を奏する。しかも、帯状シート２７に後見頃２を着脱自在に固定しているため、前見頃３を帯状シート２７に止着した状態で、帯状シート２７から後見頃２を取り外して着用者の脚先側に大きく回動させるだけで、紙おむつの後部から後見頃２を取り除くことができ、これにより、紙おむつの後部から尿とりパッド等を取り出して簡単に交換することができ、手間もかからない。また、上記帯状シート２７からおむつ本体１を取り外して、前見頃３および後見頃２の前後を変えて上記帯状シート２７に固定したり、横向きにして（すなわち、おむつ本体１を胴部の外周に巻回し、第１，第３止着テープート２８，３０で固定するようにして）使用したり、おむつ本体１を新品と交換したりすることができる。
【００３４】
図８は本考案の第４の紙おむつの一実施の形態を示している。この実施の形態では、帯状シート２７の左右方向の一側部（この実施の形態では、右側部で、着用時に着用者の胴部の背部に位置決めされる部分）に後見頃２の後端部が着脱自在に止着されており、上記帯状シート２７の左右方向の他側部（この実施の形態では、左側部）は、着用時に着用者の胴部の前部に位置決めされるようにしている。それ以外の部分は、図７に示す実施の形態と同様であり、同様の部分には同じ符号を付している。この実施の形態でも、図７に示す実施の形態と同様の作用・効果を奏する。
【００３５】
図９は本考案の第５の紙おむつの一実施の形態を示している。この実施の形態では、紙おむつとして、パンツ型のものが用いられている。図において、７は着用者の胴部に保持される環状保持部であり、この環状保持部７に取り付けたゴム紐等の弾性部材（図示せず）の弾性により、胴部を締め付けて環状保持部７を胴部に保持できるようにしている。８は上記環状保持部７の後半部分から下方に延びる後見頃で、９は上記環状保持部７の前半部分から下方に延びる前見頃で、１０は左右一対の脚用開口部である。
【００３６】
上記後見頃８および前見頃９は、図１〜図３に示す実施の形態と同様に、吸収部１１と外装シート１２とを備えている。これら吸収部１１，外装シート１２の構造は、図１〜図３に示す実施の形態で用いた吸収部１１，外装シート１２と同様構造に形成されている。また、上記前見頃９の右側縁部９ａと後見頃８の右側縁部（図示せず）とが着脱自在に固定されているとともに、上記前見頃９の左側縁部９ｂと後見頃８の左側縁部（図示せず）とが着脱自在に固定されており、これにより、紙おむつをその左右両側縁部から引き離すことができ、尿とりパッド等の交換時に便利である。
【００３７】
上記前見頃９は、その下半部分の全部および上半部分の中央部（上記吸収部１１で構成されている部分を全て含んでいる）が、上記前見頃９の上半部分の周辺部（上記外装シート１２で構成されている部分）および両脚用開口部１０から切り離されており、かつ、この切り離された部分が、上記前見頃９の上半部分の周辺部（すなわち、切り離されないで残った部分）に着脱自在に固定されている。より詳しく説明すると、上記前見頃９が上下に切り離されており、下側部分（上記切り離された部分であって、上記前見頃９の下半部分の全部および上半部分の中央部に対応する部分）の上面形状が、上側部分（上記切り離されないで残った部分であって、上記前見頃９の上半部分の周辺部に対応する部分）の下面形状に略合致する形状になっている。そして、上記下側部分の上縁から左右一対の止着テープ（固定手段）３２が延びており、上記上側部分に着脱自在に止着されている（図１０参照）。上記両止着テープ３２は、上記第１止着テープ４と同様の構造であり、同様にして前見頃９に接着，固定されている。
【００３８】
上記の構成において、紙おむつを着用する場合には、前見頃９の下側部分の両止着テープ３２を上側部分に止着した状態で、紙おむつをはき、環状保持部９を着用者の胴部に保持することを行う。
【００３９】
また、着用者を寝かせた状態で、紙おむつ内の尿とりパッド等を交換する場合には、まず、前見頃９の下側部分を上側部分から取り外し、脚先側に大きく回動させて紙おむつの前部を大きく開口させ、つぎに、この開口部から尿とりパッド等を取り出したのち、前見頃９の下側部分を胴部の前部側に大きく回動させて胴部の前部に位置決めし、前見頃９の両止着テープ３２を上側部分に止着することを行う。また、用便する場合には、まず、前見頃９の下側部分を上側部分から取り外して後見頃８とともに後方に大きく回動させ、胴部の前部を大きく開口させるとともに股間から後見頃８を取り除き、つぎに、用便したのち、前見頃９の下側部分を後見頃８とともに前方に大きく回動させて胴部の前部に位置決めし、前見頃９の両止着テープ３２を上側部分に止着することを行う。
【００４０】
このように、上記実施の形態では、紙おむつを尿とりパッド等と併用する場合に、この尿とりパッド等の交換を、着用者を寝かせた状態で行っても、前見頃９の下側部分を上側部分から取り外して着用者の脚先側に大きく回動させることで、紙おむつの前部が大きく開口し、この開口部から尿とりパッド等を取り出して簡単に交換することができ、手間もかからない。しかも、このように尿とりパッド等を簡単に交換できるため、特に夜間において、着用者を起こすことなく交換が行え、着用者は安眠をとることができる。しかも、用便時等に、立った姿勢で尿とりパッド等を交換する場合にも、上記したように、簡単に尿とりパッド等を交換することができ、この作業がしやすい。しかも、用便時等にも、前見頃９の下側部分を上側部分から取り外し、後見頃８とともに後側に大きく回動させることで、着用者の前部および股間から前見頃９の下側部分および後見頃８を取り除くことができ、簡単に用便することができ、手間がかからない。
【００４１】
図１１は本考案の第５の紙おむつの他の実施の形態を示している。この実施の形態では、上記前見頃９は、その下半部分の全部，上半部分の中央部および環状保持部７の下側中央部が、上記前見頃９の左右両側部，環状保持部７の周辺部および両脚用開口部１０から切り離されている。それ以外の部分は、図９および図１０に示す実施の形態と同様であり、同様の部分には同じ符号を付している。この実施の形態でも、図９および図１０に示す実施の形態と同様の作用・効果を奏する。
【００４２】
図１２は本考案の第５の紙おむつのさらに他の実施の形態を示している。この実施の形態では、図９および図１０に示す実施の形態において、左右両止着テープ３２に代えて、両面テープ３３が固定されている。それ以外の部分は、図９および図１０に示す実施の形態と同様であり、同様の部分には同じ符号を付している。この実施の形態でも、図９および図１０に示す実施の形態と同様の作用・効果奏する。
【００４３】
図１３は本考案の第５の紙おむつのさらに他の実施の形態を示している。この実施の形態では、図９および図１０に示す実施の形態において、前見頃９の上記切り離された部分の左右方向中央部に、上記切り離された部分の上端から後見頃８に向かって（すなわち、下方に向かって）略一直線状に延びる切り目２８が形成されている。したがって、上記切り離された部分の右半分もしくは左半分だけを後見頃８から取り外して下方に大きく回動させることができ、紙おむつ内にある尿漏れ防止パットを交換する場合等に便利である。それ以外の部分は、図９および図１０に示す実施の形態と同様であり、同様の部分には同じ符号を付している。この実施の形態でも、図９および図１０に示す実施の形態と同様の作用・効果を奏する。
【００４４】
図１４は本考案の第５の紙おむつのさらに他の実施の形態を示している。この実施の形態では、図９および図１０に示す実施の形態において、前見頃９の上記切り離された部分の左右方向中央部に、上記切り離された部分の上端からではなく、上端から離間した位置から下方に向かって略一直線状に延びる切り目２８ａが形成されている。したがって、男性が小便をするときに、上記切り目２８ａを利用して、簡単に行うことができる。それ以外の部分は、図９および図１０に示す実施の形態と同様であり、同様の部分には同じ符号を付している。この実施の形態でも、図９および図１０に示す実施の形態と同様の作用・効果を奏する。
【００４５】
図１５は本考案の第６の紙おむつの一実施の形態を示している。この実施の形態では、図９および図１０に示す実施の形態において、後見頃８も、前見頃９と同様に、その下半部分の全部および上半部分の中央部（上記吸収部１１で構成されている部分を全て含んでいる）が、上記後見頃８の上半部分の周辺部（上記外装シート１２で構成されている部分）および両脚用開口部１０から切り離されており、かつ、この切り離された部分が、上記後見頃８の上半部分の周辺部（すなわち、切り離されないで残った部分）に着脱自在に固定されている。より詳しく説明すると、上記後見頃８が上下に切り離されており、下側部分（上記切り離された部分であって、上記後見頃８の下半部分の全部および上半部分の中央部に対応する部分）の上面形状が、上側部分（上記切り離されないで残った部分であって、上記後見頃８の上半部分の周辺部に対応する部分）の下面形状に略合致する形状になっている。そして、上記下側部分の上縁から左右一対の第２止着テープ（第２の固定手段）３４が延びており、上記上側部分に着脱自在に止着されている。上記両第２止着テープ３４も、上記両止着テープ（第１の固定手段）３２と同様に、上記第１止着テープ４と同様の構造であり、同様にして後見頃８に接着，固定されている。そして、上記前見頃９の下側部分と後見頃８の下側部分とが連結されている。
【００４６】
それ以外の部分は、図９および図１０に示す実施の形態と同様であり、同様の部分には同じ符号を付している。この実施の形態でも、図９および図１０に示す実施の形態と同様の作用・効果を奏する。しかも、後見頃８の下側部分を上側部分に着脱自在に固定しているため、前見頃９の下側部分を上側部分に止着した状態で、後見頃８の下側部分を上側部分から取り外して着用者の脚先側に大きく回動させるだけで、紙おむつの後部から後見頃８の下側部分を取り除くことができ、これにより、紙おむつの後部から尿とりパッド等を取り出して簡単に交換することができ、手間もかからない。また、上記後見頃８，前見頃９の両上側部分から、一連につながる後見頃８，前見頃９の両下側部分を取り外して、前見頃３および後見頃２の前後を変えて上記両上側部分に固定したり、上記両下側部分を新品と交換したりすることができる。
【００４７】
図１６は本考案の第６の紙おむつの他の実施の形態を示している。この実施の形態では、図１５に示す実施の形態において、後見頃８の下側部分の左右方向中央部に、その上端から前見頃９に向かって（すなわち、下方に向かって）略一直線状に延びる切り目３５が形成されている。したがって、上記下側部分の右半分もしくは左半分だけを後見頃８の上側部分から取り外して下方に大きく回動させることができ、紙おむつ内にある尿漏れ防止パットを交換する場合等に便利である。それ以外の部分は、図１５に示す実施の形態と同様であり、同様の部分には同じ符号を付している。この実施の形態でも、図１５に示す実施の形態と同様の作用・効果を奏する。
【００４８】
図１７は本考案の第６の紙おむつのさらに他の実施の形態を示している。この実施の形態では、図１５に示す実施の形態において、前見頃９の上記切り離された部分の左右方向中央部に、上記切り離された部分の上端からではなく、上端から離間した位置から下方に向かって略一直線状に延びる切り目２８ａが形成されている。したがって、男性が小便をするときに、上記切り目２８ａを利用して、簡単に行うことができる。それ以外の部分は、図１５に示す実施の形態と同様であり、同様の部分には同じ符号を付している。この実施の形態でも、図１５に示す実施の形態と同様の作用・効果を奏する。
【００４９】
なお、図１〜図８に示す実施の形態では、前見頃３を後見頃２に固定しているが、これに限定するものではなく、サイドフラップ１９に固定してもよい。また、図５〜図８に示す実施の形態において、止着テープ４，５，２４，２５，２８〜３０に代えて、両面テープ２２を用いてもよい。また、図６〜図８に示す実施の形態において、前見頃３の左右方向中央部に切り目２３を形成してもよい。
【００５０】
また、図１３〜図１７に示す実施の形態において、止着テープ３２，３４に代えて、両面テープ３３を用いてもよい。また、図１５に示す実施の形態において、前見頃９の下側部分の左右方向中央部に切り目２８を形成してもよい。
【図面の簡単な説明】
【００５１】
【図１】本考案の第１の紙おむつの一実施の形態を示す説明図である。
【図２】上記第１の紙おむつの作用を示す説明図である。
【図３】上記第１の紙おむつの作用を示す斜視図である。
【図４】本考案の第１の紙おむつの他の実施の形態を示す説明図である。
【図５】本考案の第１の紙おむつのさらに他の実施の形態を示す説明図である。
【図６】本考案の第２の紙おむつの一実施の形態を示す説明図である。
【図７】本考案の第３の紙おむつの一実施の形態を示す説明図である。
【図８】本考案の第４の紙おむつの一実施の形態を示す説明図である。
【図９】本考案の第５の紙おむつの一実施の形態を示す斜視図である。
【図１０】上記第５の紙おむつの作用を示す斜視図である。
【図１１】本考案の第５の紙おむつの他の実施の形態を示す斜視図である。
【図１２】本考案の第５の紙おむつのさらに他の実施の形態を示す斜視図である。
【図１３】本考案の第５の紙おむつのさらに他の実施の形態を示す斜視図である。
【図１４】本考案の第５の紙おむつのさらに他の実施の形態を示す斜視図である。
【図１５】本考案の第６の紙おむつの一実施の形態を示す斜視図である。
【図１６】本考案の第６の紙おむつの他の実施の形態を示す斜視図である。
【図１７】本考案の第６の紙おむつのさらに他の実施の形態を示す斜視図である。
【図１８】従来例の紙おむつを示す斜視図である。
【図１９】他の従来例の紙おむつを示す斜視図である。
【符号の説明】
【００５２】
２  後見頃
３  前見頃
４  第１止着テープ
５  第２止着テープ
１９  サイドフラップ
【図１】
0003122881.tif 000003
【図２】
0003122881.tif 000004
【図３】
0003122881.tif 000005
【図４】
0003122881.tif 000006
【図５】
0003122881.tif 000007
【図６】
0003122881.tif 000008
【図７】
0003122881.tif 000009
【図８】
0003122881.tif 000010
【図９】
0003122881.tif 000011
【図１０】
0003122881.tif 000012
【図１１】
0003122881.tif 000013
【図１２】
0003122881.tif 000014
【図１３】
0003122881.tif 000015
【図１４】
0003122881.tif 000016
【図１５】
0003122881.tif 000017
【図１６】
0003122881.tif 000018
【図１７】
0003122881.tif 000019
【図１８】
0003122881.tif 000020
【図１９】
0003122881.tif 000021